(57)【特許請求の範囲】
【請求項１】
内臓脂肪面積を推定する方法において、臍横の規定の位置での皮下脂肪厚が規定値以上の場合に、臍位置での腹部周囲径と前記皮下脂肪厚とから内臓脂肪を推定し、また、前記皮下脂肪厚が規定値より小さい場合には、前記腹部周囲径のみから内臓脂肪を推定する内臓脂肪推定方法。
【請求項２】
規定の位置と臍との距離はおよそ５ｃｍである請求項１記載の内臓脂肪推定方法。
【請求項３】
皮下脂肪厚の規定値はおよそ２０ｍｍである請求項１記載の内臓脂肪推定方法。
【請求項４】
内臓脂肪の推定結果が内臓脂肪面積の予め規定された下限値より小さい場合にこの下限値を推定結果とする請求項１記載の内臓脂肪推定方法。
【請求項５】
皮下脂肪厚をＴ、臍位置での腹部周囲計をＬ、皮下脂肪厚の規定値をＴ０とすると内臓脂肪ＶＦＡの推定式は、定数Ａ，Ｂ，Ｃを用いて、Ｔ≧Ｔ０の場合にＶＦＡ＝Ａ×Ｌ−Ｂ×（Ｔ−Ｔ０）−Ｃ・・・・式１で表され、Ｔ＜Ｔ０の場合にＶＦＡ＝Ａ×Ｌ−Ｃ・・・・式２で表され、推定式の推定結果が下限値ＶＦＡ０より小さい場合には、内臓脂肪面積を下限値ＶＦＡ０とする内臓脂肪推定方法。
【発明の詳細な説明】
【技術分野】
【０００１】
本発明は内臓脂肪を推定する内臓脂肪推定方法に関するものである。
【背景技術】
【０００２】
従来の内臓脂肪と皮下脂肪を同時に測定できる方法としては、Ｘ線を用いたＣＴや、ＭＲＩを用いて、生体の断層画像を撮影しその結果から求める方法があった。（例えば、非特許文献１参照）。
【０００３】
また、腹部皮下脂肪厚と腹部周径囲から腹部内臓脂肪面積を求めるものがあった（例えば、先行文献１参照）。
【非特許文献１】臨床検査  ｖｏｌ．４２  ｎｏ．４  １９９８年４月
【特許文献１】特開２０００−３５０７２７号公報
【発明の開示】
【発明が解決しようとする課題】
【０００４】
しかしながら、従来の非特許文献１のような構成では、機器が大型・複雑であり、個人が家庭で健康管理のための自己測定には使えなかった。また他の従来の構成である特許文献１では、腹部の皮下脂肪厚は臍の横や、脇の部分また、背中の部分で厚みが変化しているために、皮下脂肪を計測する部位が変われば推定される内臓脂肪面積も変動してしまう。また、人によっては臍の横での皮下脂肪は薄いが、背中側の皮下脂肪が厚い人もいるために、人によって異なる腹部の皮下脂肪のつき具合により、内臓脂肪を算出する精度が低下するという課題があった。そのために腹部周囲の皮下脂肪厚をすべて測定しようとすると、自己測定をする場合には、自分の目では直接確認できない背中の皮下脂肪を位置精度よく測定する必要があり、家庭用の小型機器では実現が困難であった。
【０００５】
本発明は、前記従来の課題を解決するもので、腹部皮下脂肪のつき具合の固体差を考慮した高精度な内臓脂肪推定方法を提供することを目的とする。
【課題を解決するための手段】
【０００６】
前記従来の課題を解決するために、本発明の内臓脂肪推定方法は皮下脂肪厚が規定値以上かどうかで、内臓脂肪推定式を切り替える。  
【発明の効果】
【０００７】
本発明の内臓脂肪推定方法によれば、臍横の既定の位置での皮下脂肪厚と腹部周囲径とから、高精度に内臓脂肪を推定することができる。
【発明を実施するための最良の形態】
【０００８】
以下本発明の実施の形態について、図面を参照しながら説明する。
【０００９】
（実施の形態）
図１（ａ）は、本発明の実施の形態における腹部臍位置での生体断面画像の一例である。図１の上側が生体での前面であり、上部中央に臍１がある。臍１には皮下脂肪２は存在せず、その横から急激に皮下脂肪２は増加しているが、臍横５ｃｍの位置では皮下脂肪厚はほぼ安定しており、多少位置ずれをしても再現性良く皮下脂肪厚を測定することができる。また、臍１を基準とすることで被験者の自己測定が容易である。ここで、皮下脂肪厚を測定する方法は、キャリパーを用いた方法や、超音波を用いた方法、赤外光を用いた方法がある。それぞれの測定器の皮下脂肪２を測定する部位の横５ｃｍに目印をつけ、被験者はその目印を臍１に合わせて測定することで、位置あわせがさらに容易となる。次に、腹部周囲径３を測定する方法はメジャーを臍１の位置で合わせることで測定再現性が良い測定が可能となる。また、腹部周囲径３は呼吸などの影響でも変化するので、呼吸が止まっているかもしくは、呼吸がもっとも息を吐いた時を検知して、腹部周囲径３を測定することで、測定再現性が向上する。
【００１０】
図１（ｂ）や図１（ｂ）のように、皮下脂肪２のつき方が被験者によって異なるために、腹部の皮下脂肪厚と腹部周囲径３からそのまま内臓脂肪４の面積を推定すると推定誤差が大きくなる課題に対して、本発明者は臍横の皮下脂肪２が薄いときに、背中側の皮下脂肪２が厚い場合は存在するが、臍横の皮下脂肪２が厚いときに、背中側の皮下脂肪２が薄い場合は存在しないことに着目することで、皮下脂肪２が薄い場合と厚い場合で換算式を切り替えることを考案した。
【００１１】
臍横５ｃｍの位置での皮下脂肪厚が２０ｍｍ以下の場合には、背中の皮下脂肪２の個体差による、ばらつきは存在するが、腹部断面積における皮下脂肪面積の割合は少ないため、ほぼ一定とみなすことで、内臓脂肪面積の換算式は皮下脂肪厚の項を含まずに腹部周囲径Ｌと定数で表し式１とすることができる。
【００１２】
ＶＦＡ＝Ａ×Ｌ−Ｃ・・・・（式１）
また、臍横の位置での皮下脂肪厚が２０ｍｍ以上の場合、背中部分の皮下脂肪厚も厚いので、腹部断面積における皮下脂肪面積の割合は皮下脂肪厚にほぼ比例して増加すると考えられる。そこで、式１に皮下脂肪厚の補正項Ｂ×（Ｔ−Ｔ０）を追加して、式２となる。
【００１３】
ＶＦＡ＝Ａ×Ｌ−Ｂ×（Ｔ−Ｔ０）−Ｃ・・・・（式２）
ここで、ＶＦＡは内臓脂肪面積、Ａ，Ｂ，Ｃは定数。Ｌは腹部周囲径３、Ｔは臍横５ｃｍでの腹部皮下脂肪厚、Ｔ０は腹部皮下脂肪厚の既定値２ｃｍである。
【００１４】
また、これらの換算式を用いて推定された内臓脂肪面積ＶＦＡが０ｃｍ２の実際には存在し得ない値となる場合に、ＶＦＡの値を最小値として規定された値ＶＦＡ０へ丸めることで、腹部周囲径が極端に短い被験者に対しても、内臓脂肪推定を行うことが出来る。
【００１５】
これらの換算式を用いた推定値とＭＲＩ画像を用いた内臓脂肪の測定値を比較したグラフが図２であり。このようにして、高精度に内臓脂肪を自己測定した結果から推定することができる。
【００１６】
ここで、各定数Ａ，Ｂ，Ｃ，Ｔ０、ＶＦＡ０の決定方法は、ＭＲＩやＣＴで測定した内臓脂肪面積と、腹部周囲径と臍横５ｃｍの皮下脂肪厚を多数の被験者で測定を行い、誤差が小さくなるように決定される。図２のグラフを作成した場合の各定数の値はＡ＝８．２２ｃｍ、Ｂ＝７４ｃｍ、Ｃ＝５９０ｃｍ２、ＶＦＡ０＝３０ｃｍ２である。
【産業上の利用可能性】
【００１７】
本発明にかかる内臓脂肪推定方法は、自己測定した腹部周囲径と臍横５ｃｍの位置での皮下脂肪厚から高精度に内臓脂肪を推定する方法として有用である。
【図面の簡単な説明】
【００１８】
【図１ａ】本発明の実施の形態における内臓脂肪推定法の説明図
【図１ｂ】前面の皮下脂肪が薄く、背中の皮下脂肪が厚い場合の腹部断面図
【図１ｃ】前面の皮下脂肪が厚く、背中の皮下脂肪が厚い場合の腹部断面図
【図２】本発明により推定した内臓脂肪面積とＭＲＩによる実測値の比較結果を示す図
【符号の説明】
【００１９】
１  臍
２  皮下脂肪
３  腹部周囲径
４  内臓脂肪
【図１ａ】
0004735181.tif 000002
【図１ｂ】
0004735181.tif 000003
【図１ｃ】
0004735181.tif 000004
【図２】
0004735181.tif 000005